(57)【要約】【課題】  本発明では、装飾を施す際に内容物の品質劣化を引き起こさず、幅広い利用場所において、貰った人を喜ばせる装飾が施された酒類容器を提供することを目的とする。【解決手段】  開示する酒類容器は、ガラス製の酒類容器であって、当該酒類容器の胴体部分の外周形状に合わせて曲成され、該胴体外周部分に設置される金属板と、前記胴体外周部分に前記金属板を囲むように施され、当該酒類容器を送られる人に向けた祝いを意味する装飾である装飾部と、を有し、前記金属板上には、前記送られる人がカラー画像で描かれており、当該酒類容器の中に酒類が充填され栓で閉じられた後で、かつ、該栓が開けられる前に、前記金属板が設置され、前記装飾部が施されることを特徴とする。【選択図】図１
2013063796.tif 000002
【特許請求の範囲】
【請求項１】
ガラス製の酒類容器であって、
当該酒類容器の胴体部分の外周形状に合わせて曲成され、該胴体外周部分に設置される金属板と、
前記胴体外周部分に前記金属板を囲むように施され、当該酒類容器を送られる人に向けた祝いを意味する装飾である装飾部と、を有し、
前記金属板上には、前記送られる人がカラー画像で描かれており、
当該酒類容器の中に酒類が充填され栓で閉じられた後で、かつ、該栓が開けられる前に、
前記金属板が設置され、前記装飾部が施されることを特徴とする酒類容器。
【請求項２】
前記金属板上に描かれる前記送られる人のカラー画像が、熱転写用媒体上に作製された該カラー画像に係る転写箔を、前記金属板上に熱転写したものであることを特徴とする請求項１に記載の酒類容器。
【請求項３】
発泡性の酒類が充填されていることを特徴とする請求項１又は２に記載の酒類容器。
【発明の詳細な説明】
【技術分野】
【０００１】
本発明は、酒類を充填した容器の外周に装飾を施す技術に関する。
【背景技術】
【０００２】
どんな人でも、何かの記念にプレゼントを貰うと、嬉しいと感じる。一方、プレゼントを贈った方も、プレゼントを貰ってくれた人が喜んでくれると、嬉しいと感じるものである。このように、プレゼントを贈るという行為は、人間関係を円滑にしてくれるものである。
【０００３】
さらに、上記のプレゼントに装飾を施せば、その装飾が人の美的感覚に訴えることで、プレゼントを貰った人の「嬉しい」という感情を増幅させることが一般に良く知られている。
【０００４】
そうした中、プレゼントとして酒類などボトル状のものを贈る場合を想定し、当該ボトルに装飾を施す技術について種々の提案がなされている。例えば、特許文献１乃至特許文献３では、ボトルに彫刻や成型などで、文字や柄などの凹凸を施し、さらに、該凹部にブラックライトに反応して発光する塗料を使用して、ボトルに装飾を施す技術が提案されている。
【０００５】
他方、特許文献以外であっても、上記ボトルへの装飾として、ボトル表面へカラー画像を直接印刷したもの、カラー画像を印刷した紙媒体をボトル表面に貼付したものが見受けられる。
【先行技術文献】
【特許文献】
【０００６】
【特許文献１】実用新案登録第３１２７２６７号公報
【特許文献２】実開平０５−０６５８４２号公報
【特許文献３】特開平２００５−１３８９０６号公報
【発明の概要】
【発明が解決しようとする課題】
【０００７】
しかしながら、上記ブラックライトに反応する塗料を使用する技術では、暗い場所などでしか当該塗料の装飾効果を発揮できず、利用環境が制限されてしまうという問題点があった。
【０００８】
また、上記ボトル表面へカラー画像を直接印刷する技術では、印刷時に、ボトルに振動を与えるタイプのものやボトルに熱を加えるタイプのものがあり、ボトルに充填された酒類の品質を悪化させ、さらに、内容物が発泡性の酒類であった場合、ボトルを破損させる恐れもあるという問題点があった。
【０００９】
また、上記ボトル表面へ直接印刷されたカラー画像は、印刷品質が低い場合が多い上に、当該カラー印刷を行う機器設定・環境設定が難しい場合が多いという問題点があった。
【００１０】
さらに、上記カラー画像を印刷した紙媒体をボトル表面に貼付する技術では、長期保存した場合の色褪せ、ボトルが濡れた場合の紙媒体の品質劣化など種々の問題点があった。
【００１１】
そこで本発明では、上記問題点に鑑み、装飾を施す際に内容物の品質劣化を引き起こさず、幅広い利用場所において、貰った人を喜ばせる装飾が施された酒類容器を提供することを目的とする。
【課題を解決するための手段】
【００１２】
開示する酒類容器の一形態は、ガラス製の酒類容器であって、当該酒類容器の胴体部分の外周形状に合わせて曲成され、該胴体外周部分に設置される金属板と、前記胴体外周部分に前記金属板を囲むように施され、当該酒類容器を送られる人に向けた祝いを意味する装飾である装飾部と、を有し、前記金属板上には、前記送られる人がカラー画像で描かれており、当該酒類容器の中に酒類が充填され栓で閉じられた後で、かつ、該栓が開けられる前に、前記金属板が設置され、前記装飾部が施されることを特徴とする。
【００１３】
また、開示する酒類容器の一形態は、前記金属板上に描かれる前記送られる人のカラー画像が、熱転写用媒体上に作製された該カラー画像に係る転写箔を、前記金属板上に熱転写したものであっても良い。
また、開示する酒類容器の一形態は、発泡性の酒類が充填されていても良い。
【発明の効果】
【００１４】
開示する酒類容器は、内容物の品質劣化を引き起こさず、幅広い利用場所において、貰った人を喜ばせる装飾が施されている。
【図面の簡単な説明】
【００１５】
【図１】本実施の形態に係る酒類容器の全体を示す図である。
【図２】本実施の形態に係る金属板の斜視図である。
【図３】本実施の形態に係る金属板の正面図である。
【図４】本実施の形態に係る熱転写用媒体上に作製されたカラー画像に係る転写箔を示す図である。
【発明を実施するための形態】
【００１６】
図面を参照しながら、本発明を実施するための形態について説明する。
（酒類容器の構造）
【００１７】
図１乃至図４を用いて、本実施の形態に係る酒類容器１００の構造について説明する。図１は、酒類容器１００の全体概要を説明する図である。図２は、金属板１１０の斜視図であり、図３は、金属板１１０の正面図である。図４は、金属板１１０にカラー画像を熱転写する処理を説明する図である。
【００１８】
図１で示すように、酒類容器１００は、ガラス製の酒類容器であって、金属板１１０、装飾部１２０、酒類製造元が施した装飾部１３０を有する。ここで、装飾部１３０は、酒類容器１００の製造元が製造・販売当初から施している装飾である。そして、金属板１１０及び装飾部１２０は、酒類容器１００の中に酒類が充填され栓で閉じられた後、かつ、該栓が開けられる前、つまり、酒類容器１００が開栓される前に、金属板１１０が設置され、装飾部１２０が施されるため、装飾部１３０も当初形態を留めている。
【００１９】
ここで、酒類容器１００は、酒類容器１００が開栓される前に、金属板１１０が設置され、装飾部１２０が施されるため、酒類容器１００へ与えた振動・熱等の影響が内容物（充填物）である酒類に影響を与えないように考慮されている。
【００２０】
図１及び図２で示すように、金属板１１０は、その表面に、酒類容器１００をプレゼントとして贈られる人などがカラー画像で描かれている。こうするで、酒類容器１００をプレゼントされる人を驚かせ、感激させ、喜ばせることができる。
【００２１】
また、金属板１１０は、金属を材料とし、例えば、アルミニウム合金を材料とすることが好適である。こうすることで、酒類容器１００の外観に豪華さを出すことができ、それに伴い、酒類容器１００をプレゼントされる人を驚かせ、感激させ、喜ばせることができる。
【００２２】
図２及び図３で示すように、金属板１１０は、酒類容器１００の胴体部分の外周形状に合わせて曲がった形（反った形）に形成されている。そして、金属板１１０は、酒類容器１００の胴体部分外周に、接着剤などで接着される。
【００２３】
図４で示すように、金属板１１０表面に描かれるカラー画像は、一旦、フィルム状の熱転写用媒体１４０上に転写箔として形成され、その後、当該転写箔は熱転写用媒体１４０から金属板１１０上に熱転写される。ここで、熱転写用媒体１４０上における転写箔の形成には、ナビタス株式会社製の（オンデマンド転写箔プリンタ）ＮＡＰ−７Ｈが使用される。また、熱転写用媒体１４０から金属板１１０上へ行われる、転写箔の熱転写には、ナビタス株式会社製の（ロール式熱転写装置）ＲＨ−１５０が使用される。
【００２４】
図１乃至図３で示すように、金属板１１０表面には、例えば、ラインストーンによる装飾や凹凸を付けた意匠的な装飾のように種々の装飾を施すことが可能である。こうすることで、酒類容器１００をプレゼントされる人をより驚かせ、感激させ、喜ばせることができる。
【００２５】
図１で示すように、装飾部１２０は、酒類容器１００の胴体部分外周上に、金属板１１０を囲むように施される。これは、金属板１１０の装飾を際立たせるようにするためである。また、装飾部１２０は、酒類容器１００を贈られる人に向けた祝いの言葉やデザインなどが施される。酒類容器１００は、何かの記念にプレゼントとして贈られることを想定しており、装飾部１２０は、例えば、誕生日の記念であれば「ＨＡＰＰＹ  ＢＩＲＴＨ  ＤＡＹ」、結婚の記念であれば「ＨＡＰＰＹ  ＷＥＤＤＩＮＧ」などの言葉や、それらを観念的に想起させるようなデザインが施される。装飾部１２０があることによって、酒類容器１００をプレゼントされた人の「貰って嬉しい」という気持ちを増幅させることができる。
【００２６】
また、装飾部１２０における装飾は、白黒の網点描写による画像彫刻、酒類容器１００表面の彫刻加工、ブラックライトに反応する塗料を使用したデザインなど種々の装飾を組み合わせて行うことが好適である。
【００２７】
なお、先に述べた通り、酒類容器１００への金属板１１０の設置及び装飾部１２０の形成は、酒類容器１００が開栓される前に、つまり、酒類容器１００の中に酒類を充填した状態で行われる。
【００２８】
また、酒類容器１００への装飾は、極力、酒類容器１００自体に振動を与えないようにすることが配慮されているため、酒類容器１００の内容物（充填物）は、スパークリングワインなど発泡性の酒類であることが好適である。酒類容器１００自体に振動を与えないようにすることで、酒類容器１００の破損、内容物（充填物）の風味などの劣化を防止することができる。
（酒類容器の使用方法）
【００２９】
ここでは、酒類容器１００の使用方法について説明する。酒類容器１００は、当初販売時と変わらぬ品質（内容物は風味）を保っているため、酒類容器１００をプレゼントされた人は、通常の開栓方法に従って開栓し、充填されている酒類を飲むことができる。また、空の酒類容器１００は、装飾品としても使用することができる。
一方、酒類容器１００は、当初販売時と変わらぬ品質を保っているため、開栓せずに、記念品（置き物）として長期保管しても、何ら問題は生じない。
（総括）
【００３０】
酒類容器１００は、何かの記念にプレゼントとして贈られることを想定しており、例えば、ギフトボックスに入れて贈られる場合、そのギフトボックスを開けると、金属板１１０に描かれた自分（自分たち）の鮮明なカラー画像、それを囲むように描かれる祝いの装飾１２０が最初に目に入る。従来の品質の悪いカラー画像や白黒画像で描かれたものと比べると、贈られた人に与える印象に大きな違いがある。
【００３１】
また、従来技術と比べ、酒類容器１００は、内容物（充填物）である酒類に、熱、振動を与えないようにして装飾が施されているので、開栓後、元来の内容物（充填物）の風味を味わうことができる。
【００３２】
また、従来技術と比べ、酒類容器１００は、内容物（充填物）である酒類に、熱、振動を与えないようにして装飾が施されているので、容器破損のリスクが小さい。
【００３３】
また、装飾としてカラー印刷を施した紙製シールを貼付する従来技術と比べ、酒類容器１００は、長期保存、濡れた場合のデザイン性の劣化に強い。特に、結婚の記念などとして酒類容器１００を贈られた場合、記念として長期保管されることも多いと想定され、長期保存に強いことは大きな優位性を有している。
【００３４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３５】
１００  酒類容器
１１０  金属板
１２０  装飾部
１３０  酒類製造・販売元が施した装飾部
１４０  熱転写用媒体
１５０  転写箔（カラー画像に係る転写箔）
【図１】
2013063796.tif 000003
【図２】
2013063796.tif 000004
【図３】
2013063796.tif 000005
【図４】
2013063796.tif 000006